(57)【要約】      （修正有）【課題】設置が容易で、低コスト、かつ、引戸の振れ止め防止の信頼性と、耐久性に優れた上吊り式引戸用の下部戸当たりを提供する。【解決手段】床面上に木ねじ４で取り付ける固定金具２とキャップ３とからなる。固定金具２は、第１当たり面補強部２ａと第２当たり面補強部２ｂを有し、キャップ３は、第１当たり面３ａと、第２当たり面３ｂと、底面に開口した固定金具受け入れ溝とを有する。下部戸当たり１は、引戸の戸先又は戸尻の端面が第１当たり面３ａに当接した位置で第２当たり面３ｂが引戸の室外側の側面に対面してその引戸の室外側への変位を阻止する。【選択図】図１
2020133364.tif 000002
【特許請求の範囲】
【請求項１】
床面上に木ねじ（４）で取り付ける固定金具（２）と、その固定金具（２）に上から被せて固定金具（２）で支持するキャップ（３）とからなり、
前記キャップ（３）は、上吊り式引戸（１０）の戸先（１１）又は戸尻（１２）の端面を当接させる第１当たり面（３ａ）と、その第１当たり面（３ａ）の片端に９０°屈曲して連なる第２当たり面（３ｂ）と、底面（３ｃ）に開口した固定金具受け入れ溝（３ｄ）とを有し、
前記固定金具（２）は、前記キャップ（３）の第１当たり面（３ａ）と平行な第１当たり面補強部（２ａ）と、その第１当たり面補強部（２ａ）に連なった前記キャップ（３）の第２当たり面（３ｂ）と平行な第２当たり面補強部（２ｂ）とを有し、
前記上吊り式引戸（１０）の戸先（１１）又は戸尻（１２）の端面が前記第１当たり面（２ａ）に当接した位置で前記第２当たり面（２ｂ）が前記上吊り式引戸（１０）の室外側の側面に対面して引戸の室外側への変位を阻止するように構成された上吊り式引戸用下部戸当たり。
【請求項２】
前記キャップ（３）が、緩衝性のあるゴム又は軟質樹脂で構成された請求項１に記載の上吊り式引戸用下部戸当たり。
【請求項３】
前記固定金具（２）が、床面上に木ねじ（４）で固定するベース板（２ｃ）と、そのベース板（２ｃ）の両側部に起立して連ならせた左右のブラケット（２ｄ）を含み、前記ブラケット（２ｄ）と前記第１当たり面補強部（２ａ）が一体成形又は接合して一体化されている請求項１又は２に記載の上吊り式引戸用下部戸当たり。
【請求項４】
前記第２当たり面（３ｂ）の先端に、引戸の進入口を広げるテーパ面（３ｅ）を設けた請求項１〜３のいずれかに記載の上吊り式引戸用下部戸当たり。
【発明の詳細な説明】
【技術分野】
【０００１】
この発明は、床面上に固定されて上吊り式引戸の動きを、引戸の全閉位置や全開位置において止める下部戸当たりに関する。
【背景技術】
【０００２】
引戸の戸当たりは、引戸を、閉側、又は開側の移動終点に停止させるストッパであり、上吊り式引戸用の戸当たりは、「下部戸当たり」と称されるものが床面上又は床面近くの壁面に固定されて用いられている。
【０００３】
その下部戸当たりは、図８及び図９に示すように、単純な平面の当り面２１を有していてその当り面２１で上吊り式引戸１０の戸先１１や戸尻を受け止めるものが多用されていたが、このような戸当たり２０は、移動終点に停止した上吊り式引戸の戸厚方向への振れ（室外方向への横揺れ）を止めることができない。
【０００４】
そこで、下記特許文献１に示されるような技術や下記特許文献２に示されるような戸当たりが提案されている。
【０００５】
特許文献１の技術は、上吊り式引戸（以下では略して単に引戸と言う）と戸枠に、磁石と磁性体の吸着板を対応させて設け、引戸を閉めた位置で磁石に吸着板を吸着させて引戸の振れを防止する振れ止め・固定機構である。
【０００６】
また、特許文献２の戸当たりは、床面に固定されるベース部材と、そのベース部材に被せるカバー部材とで構成されている。
【０００７】
カバー部材は、引戸の木口面（戸先面や戸尻面）が当接する平面状の当接面と、その当接面の中央部に形成される縦長の凸条部を備えている。
【０００８】
凸条部は、カバー部材と一体であり、引戸が移動終点に到達したときに引戸の下端に設けられている振止用案内溝に前記凸条部が進入し、その凸条部の側面が前記振止用案内溝の内壁に当接して引戸の振れが阻止されるものになっている。
【先行技術文献】
【特許文献】
【０００９】
【特許文献１】特開２００３−２７８４３８号公報
【特許文献２】特開２０１１−９９３０８号公報
【発明の概要】
【発明が解決しようとする課題】
【００１０】
特許文献１の技術は、磁石と吸着板を、引戸と戸枠に対応させて設ける必要がある。その磁石と吸着板は、引戸と戸枠に溝を掘ってその溝に埋め込む必要があり、設置に手間取る。また、磁石を含んでいる上に構成部品が多く、コストも高くつく。
【００１１】
これに対し、特許文献２の戸当たりは、ベース部材と、カバー部材と、カバー部材を床面に固定する木ねじとからなるため、設置が容易で、特許文献１の振れ止め・固定機構に比べてコストも低減できる。
【００１２】
しかしながら、特許文献２の戸当たりは、引戸の下端にカバー部材の凸条部が嵌り込む振止用案内溝が必要である。
【００１３】
特許文献２は、引戸の下端に設けられている引戸移動時の振止用案内溝を木口の端面に開放する位置まで延長し、その振止用案内溝が木口の端面に開放した箇所にカバー部材の凸条部を嵌合させるようにしているが、この構造は、木口の下部の強度低下を招く。これに加え、凸条部を嵌合させる振止用案内溝が木口の端面に開放することで引戸の外観も悪化する。
【００１４】
また、特許文献２は、戸当たりのカバー部材を軟質プラスチックやゴムなどの衝撃吸収材料で形成することを述べているが、カバー部材による引戸の振れ止めは、凸条部のみで引戸を受け止めてなされるため、カバー部材を衝撃吸収材料で形成した場合、振れ止め防止の信頼性やカバー部材の耐久性の確保が難しくなる。
【００１５】
この発明は、特許文献２の戸当たりの利点を生かしながらその戸当たりの欠点をなくした下部戸当たり、即ち、設置が容易で、低コスト、かつ、引戸の振れ止め防止の信頼性と、耐久性に優れた上吊り式引戸用の下部戸当たりを提供することを課題としている。
【課題を解決するための手段】
【００１６】
上記の課題を解決するため、この発明においては、
床面上に木ねじで取り付ける固定金具と、その固定金具に上から被せて固定金具で支持するキャップとからなり、
前記キャップは、上吊り式引戸の戸先又は戸尻の端面を当接させる第１当たり面と、その第１当たり面の片端に９０°屈曲して連なる第２当たり面と、底面に開口した固定金具受け入れ溝を有し、
前記固定金具は、前記キャップの第１当たり面と平行な第１当たり面補強部と、その第１当たり面補強部に連なった前記キャップの第２当たり面と平行な第２当たり面補強部を有し、
前記上吊り式引戸の戸先又は戸尻の端面が前記第１当たり面に当接した位置で前記第２当たり面が前記上吊り式引戸の室外側の側面に対面して引戸の室外側への変位を阻止するように構成された上吊り式引戸用下部戸当たりを提供する。
【００１７】
前記キャップは、緩衝性のあるゴム又は軟質樹脂で構成されたものが好ましい。
【００１８】
また、前記固定金具は、床面上に木ねじで固定するベース板と、そのベース板の両側部に起立して連ならせた左右のブラケットを含み、前記ブラケットと前記第１当たり面補強部を一体にプレス成形したもの、或いは、前記ブラケットと前記第１当たり面補強部を別部品にしてその２者を接合して一体化したものが好ましい。
【００１９】
さらに、前記第２当たり面の先端（第１当たり面に連なる側とは反対側の端部）には、引戸の進入口を広げるテーパ面を連ならせておくのが望ましい。
【発明の効果】
【００２０】
この発明の上吊り式引戸用下部戸当たりは、前記キャップが、引戸の戸先又は戸尻の端面を受け止める第１当たり面のほかに、その第１当たり面の片端に９０°屈曲して連なる第２当たり面を有しており、第２当たり面によって移動終点にある引戸の室外側への変位（振れ）を止めることができる。
【００２１】
このため、戸先や戸尻の端面に開放する戸当たり係止用の溝を追設する必要がなく、前記係止用溝の追設による引戸の強度低下や外観の悪化を招かない。
【００２２】
また、木ねじで床面に取り付ける固定金具とキャップとで構成されるため、部品数が少なく、設置が簡単でコストの低減も図れる。
【００２３】
さらに、固定金具が、キャップの第１当たり面と第２当たり面をそれぞれ補強する２箇所の補強部を有しているので、キャップが、緩衝性があって引戸の衝突音の低減や引戸の保護に有効なゴムや軟質樹脂で形成されていても、キャップの第２当たり面設置部の変形（引戸に押されることによる変形）が起こらず、引戸の振れを信頼性よく防止することができる。
【００２４】
前記第２当たり面設置部の変形が阻止されることで当該部の疲労、劣化も抑制され、特許文献２のカバー部材に比べてキャップの耐久性が向上する。
【図面の簡単な説明】
【００２５】
【図１】この発明の上吊り式引戸用下部戸当たりの一例を固定金具からキャップを外した状態にして示す斜視図である。
【図２】図１の戸当たりのキャップの平面図である。
【図３】図１の戸当たりのキャップの底面図である。
【図４】図１の戸当たりの上吊り式引戸に対する設置の一例を示す斜視図である。
【図５】図１の戸当たりの固定金具を床面に取り付ける際の取り付け方法の一例を示す斜視図である。
【図６】図１の戸当たりの使用状態を示す平面図である。
【図７】図１の戸当たりの使用状態を示す側面図である。
【図８】従来の一般的な戸当たりの使用状態を示す平面図である。
【図９】図８の戸当たりの使用状態を示す側面図である。
【発明を実施するための形態】
【００２６】
以下、この発明の上吊り式引戸用下部戸当たりの実施の形態を、添付図面の図１〜図７に基づいて説明する。
【００２７】
図１に示すように、この発明の上吊り式引戸用下部戸当たり（以下では単に戸当たりと言う）１は、固定金具２と、キャップ３とからなる。
【００２８】
固定金具２は、メッキ鋼板やステンレス板などで形成された金具であって、床面上の指定位置に木ねじ４を用いて固定される。ここで言う指定位置とは、図４に示すように、完全に閉じた上吊り式引戸（扉。以下では単に引戸と言う）１０の戸先１１が当接する位置と、完全に開いた引戸１０の戸尻１２が当接する位置の２箇所である。
【００２９】
図４の引戸１０は、戸先１１側と戸尻１２側の上部に設けた戸車ユニット１３を、壁面に固定されたガイドレール１４で支えて引戸１０を吊下げ、ガイドレール１４の軌道面上で戸車ユニット１３を走行させて部屋の出入口を開閉するものになっている。
【００３０】
図４の符号１５は、引戸１０が閉終点（閉じる側の移動終点）や開終点（開く側の移動終点）で戸当たりや戸枠などに当たって生じる衝撃や衝突音を緩和する目的で設けられている既知のクローザ装置である。図示したクローザ装置１５は、引戸１０の上端に取り付けられている。
【００３１】
固定金具２は、第１当たり面補強部２ａと、その第１当たり面補強部２ａの一端に９０°屈曲させて連ならせた第２当たり面補強部２ｂを有する。
【００３２】
この固定金具２には、木ねじ４で床面上に固定するベース板２ｃと、そのベース板２ｃの両側部に起立して連ならせた左右のブラケット２ｄ、２ｄが含まれており、固定金具２の全体、即ち、ベース板２ｃと、左右のブラケット２ｄ、２ｄと、第１、第２当たり面補強部２ａ、２ｂは、一体になっている。ベース板２ｃと、左右のブラケット２ｄ、２ｄと、第１、第２当たり面補強部２ａ、２ｂは、一体にプレス成形したもの、ベース板２ｃと一体の左右のブラケット２ｄ、２ｄに、一体に加工された第１、第２当たり面補強部２ａ、２ｂを溶接するなどして接合一体化したもののどちらであってもよい。
【００３３】
固定金具２の床面の指定位置に対する固定は、例えば、図５に示すような方法で行われる。図５の固定方法は、紙製の位置決め治具５を用いる。その位置決め治具５は、指定された線Ｌに沿って折り曲げて起立させる照合部５ａを有している。
【００３４】
その照合部５ａを、閉側の移動終点にある引戸１０の戸先１１の端面、又は、開側の移動終点にある引戸１０の戸尻１２の端面に密着させる。このとき、引戸１０の右側の側面が室外に面している場合には、位置決め治具５に記されている扉右側面照合線５ｂの位置を引戸１０の右側の側面に合わせる。
【００３５】
また、引戸１０の左側の側面が室外に面している場合には、位置決め治具５に記されている扉左側面照合線５ｃの位置を引戸１０の左側の側面に合わせる。
【００３６】
そのときに位置決め治具５に表示されているビス孔位置指示部５ｄの位置が木ねじの設置点を示している。そこで、その位置に目印をつけ、位置決め治具５を取り除いて目印箇所に木ねじ４をねじ込み、固定金具２を床面上に固定する。
【００３７】
そして、その固定金具２にキャップ３を上から被せる。キャップ３を被せると固定金具２の全体が覆い隠され、戸当たり１の見栄えの悪化が起こらない。
【００３８】
キャップ３は、図４に示した上吊り式引戸１０の戸先１１又は戸尻１２の端面を当接させる第１当たり面３ａと、その第１当たり面３ａの片端に９０°屈曲して連なる第２当たり面３ｂと、底面３ｃに開口した固定金具受け入れ溝３ｄと、第２当たり面３ｂの先端（第１当たり面３ａに連なる側とは反対側の端部）に連なったテーパ面３ｅを有する。
【００３９】
キャップ３の第１当たり面３ａと固定金具２の第１当たり面補強部２ａは平行である。また、キャップ３の第２当たり面３ｂと固定金具２の第２当たり面補強部２ｂは平行である。
【００４０】
図示のキャップ３は、ゴムで形成されている。材料ゴムは、硬度が１５〜９０程度のものが用いられるが、硬度の低い軟らかいゴムで形成されているものは、緩衝機能には優れる反面、強度の確保が難しい。キャップ３の材料として軟質樹脂を用いる場合も同様である。
【００４１】
そこで、固定金具２の第１当たり面補強部２ａを固定金具受け入れ溝３ｄに挿入してキャップ３の第１当たり面３ａの裏側に添わせ、その第１当たり面補強部２ａで前記第１当たり面３ａを補強している。
【００４２】
また、固定金具２の第２当たり面補強部２ｂを固定金具受け入れ溝３ｄに挿入してキャップ３の第２当たり面３ｂの裏側に添わせ、その第２当たり面補強部２ｂで前記第２当たり面３ｂを補強している。
【００４３】
固定金具受け入れ溝３ｄは、固定金具２の第１当たり面補強部２ａ、第２当たり面補強部２ｂ、及びブラケット２ｄ、２ｄを受け入れる部分の溝深さがベース板２ｃを受け入れる部分の溝深さよりも深く、固定金具２をほぼ適合して受け入れる溝になっている。
【００４４】
その補強により、第２当たり面３ｂの根元部（第１当たり面３ａとのつながり部）を支点にした屈曲が起こらず、第２当たり面３ｂに引戸１０が押し付けられたときにも、引戸１０の動き（振れ）が安定して阻止され、根元部の疲労、劣化も防止される。
【００４５】
テーパ面３ｅは、引戸１０の進入口を広げるための面であり、このテーパ面３ｅがあると、戸当たり１の引戸受け入れ部に対する引戸１０の進入がスムーズになされる。
【００４６】
図４に示した引戸１０は、下端に、自身の移動方向に延びるガイド溝１６を有しており、そのガイド溝１６に、床面上に立設された振れ止めピン１７が挿入されて引戸１０が閉又は開方向へ移動するときの振れ（横揺れ）が防止されるようになっている。
【００４７】
振れ止めピン１７とガイド溝１６の溝側面との間には微小な隙間がある。その隙間によって許容される範囲で引戸１０の厚み方向変位が仮に生じても、前記テーパ面３ｅがあれば、引戸１０は、第１当たり面３ａに当接する位置までスムーズに移動し、その位置で第２当たり面３ｂにより室内から室外に向かう方向への変位が阻止される。
【００４８】
図６及び図７は、例示の戸当たり１のキャップ３に引戸１０の戸先１１側が受け止められた状態を表している。図６はその受け止め状態を上から見た平面図、図７は、室外側から見た側面図である。
【００４９】
この図６、図７からわかるように、キャップ３の第１当たり面３ａに引戸１０の戸先１１が当接している状況下では、引戸１０の室外側の側面がキャップ３の第２当たり面３ｂに微小隙間を介して対面している。
【００５０】
この状況で引戸１０が図６の矢印方向、即ち、室内側から室外側に仮に押された場合、引戸１０の室外側の側面がキャップ３の第２当たり面３ｂに当たるため、閉終点での引戸の振れが確実に防止される。
【００５１】
引戸１０が開終点にある場合も、開終点側にこの発明の戸当たりがあれば、同様に引戸の振れは起こらない。
【００５２】
なお、キャップ３を構成する材料は、弾性変形するゴムや軟質樹脂が好ましいが、クローザ装置を有する引戸は、その装置の働きによって戸枠などに対する引戸１０の衝撃的な当たりが防止されるので、そのようなときには、硬質樹脂を採用することも可能である。
【符号の説明】
【００５３】
１          下部戸当たり
２          固定金具
２ａ        第１当たり面補強部
２ｂ        第２当たり面補強部
２ｃ        ベース板
２ｄ        ブラケット
３          キャップ
３ａ        第１当たり面
３ｂ        第２当たり面
３ｃ        底面
３ｄ        固定金具受け入れ溝
３ｅ        テーパ面
４          木ねじ
５          位置決め治具
５ａ        照合部
５ｂ        扉右側面照合線
５ｃ        扉左側面照合線
５ｄ        ビス孔位置指示部
１０        上吊り式引戸
１１        戸先
１２        戸尻
１３        戸車ユニット
１４        ガイドレール
１５        クローザ装置
１６        ガイド溝
１７        振れ止めピン
２０        一般的な戸当たり
２１        当り面
【図１】
2020133364.tif 000003
【図２】
2020133364.tif 000004
【図３】
2020133364.tif 000005
【図４】
2020133364.tif 000006
【図５】
2020133364.tif 000007
【図６】
2020133364.tif 000008
【図７】
2020133364.tif 000009
【図８】
2020133364.tif 000010
【図９】
2020133364.tif 000011